(57)【特許請求の範囲】
【請求項１】
天井材の埋設孔に埋設される照明器具であって、
前記天井材の埋設孔に埋設されて前記天井材に固定される枠体と、
略円筒形状の金属製の筒部と、前記筒部の上部に設けられる放熱フィンと、を備え、前記放熱フィンの外周部において、前記筒部の外周に沿って、前記天井材に平行な上面を備える段部が形成され、前記筒部の外周面の複数箇所において、前記枠体への掛止に使用される受部が外側に突出して形成され、かつ前記筒部の内側に光源が取り付けられる灯体と、を有し、
前記枠体は、
前記灯体の前記放熱フィンが挿通可能な内径を有して環状に形成され、前記天井材と平行に配置され、かつ、前記灯体の前記各受部に対応する位置に設けられる、下方に突出する複数の突出片を備える第１枠部と、
前記第１枠部の下方において前記第１枠部に平行に配置され、かつ前記灯体の前記筒部が挿通可能な内径を有して環状に形成される第２枠部と、
前記第１枠部と前記第２枠部とを接続すると共に、その外面に、前記天井材の上面に係止されて前記枠体を前記天井材に固定する天井取付部材が設けられる複数の接続部と、
を有し、
前記第１枠部の前記突出片は、下方に突出すると共に、その長さが前記接続部の上下方向の長さよりも短い突出部分と、前記突出部分から前記天井材と平行に内側に屈曲される屈曲部分と、を有して全体がＬ字形状に形成され、前記屈曲部分が、前記灯体の前記受部を掛止する掛止部となり、
前記灯体の前記各受部は、厚みが薄い部分である第１部分と、前記第１部分に連続すると共に、前記受部の、前記天井材と平行な方向における端部に位置し、かつ厚みが厚い部分である第２部分と、を有し、前記第１部分の下方には、前記第２部分との厚みの差に相当する空間が形成され、
前記灯体を前記天井材の埋設孔に埋設する場合に、前記灯体が、前記枠体の下方から挿入されると、前記灯体における前記放熱フィンの前記段部の上面が前記第１枠部の下面に当接して前記灯体が位置決めされ、前記灯体が、前記天井材と平行に回動されると、前記灯体の前記各受部の前記第１部分の下方の前記空間に、前記第１枠部の前記各掛止部が入り込み、前記各掛止部が前記各受部の前記第２部分に当接して回動が規制されて前記各受部が前記各掛止部に掛止される照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、電源部を内蔵し、熱伝導性を有する光源配設部を備えた器具本体と、発光ダイオードを配置した基板と、発光ダイオードの光を制御する反射体とを備えた照明器具が知られている（例えば、特許文献１参照）。
特許文献１は、基板を光源配設部と反射体との間に配置し、器具本体の略中心部から反射体を引き寄せ締め付けて、基板を器具本体に密着させる。
【先行技術文献】
【特許文献】
【０００３】
【特許文献１】特開２００８−２０４６９２号公報（図１、請求項２）
【発明の概要】
【発明が解決しようとする課題】
【０００４】
特許文献１は、光学性能を発揮させ、放熱性能を向上させつつ、商品性も損なわなくできる。
ところで、ＬＥＤユニットを取り付けた灯体を、天井面に取り付けた枠体に装着する照明器具が提案されている。
このような従来の照明器具は、天井面に取り付けた枠板の下方から灯体を挿入させていき、枠体に有する受部に灯体の引掛部を引っ掛けてねじ止めすることにより、灯体が枠体に取り付けられる。
しかし、このような従来の照明器具は、枠板に灯体を挿入させた際に、灯体の姿勢が、垂直方向と水平方向と傾方向とに保持されない。
従って、このような従来の照明器具は、組立作業性が良好ではない。
一方、ＬＥＤユニットを取り付けた灯体に有する取付ばねを、天井面に取り付けた枠体に引掛ける照明器具が提案されている。
このような従来の照明器具は、天井面に取り付けた枠板の下方から灯体の取付ばねを挿入させていき、枠体に有するばね受部に灯体の取付ばねを引っ掛けることにより、灯体が枠体に支持される。
しかし、このような従来の照明器具は、灯体の支持を取付ばねで行うために、大きな重量の灯体の場合、取付ばねで支持できなくなることがある。
従って、このような従来の照明器具は、灯体の大型化に対応できない。
【０００５】
本発明は、前述した課題を解決するためになされたものであり、その目的は、組立作業性を良好にでき、大型化に対応できる照明器具を提供することにある。
【課題を解決するための手段】
【０００６】
本発明に係る照明器具は、天井材の埋設孔に埋設される照明器具であって、前記天井材の埋設孔に埋設されて前記天井材に固定される枠体と、略円筒形状の金属製の筒部と、前記筒部の上部に設けられる放熱フィンと、を備え、前記放熱フィンの外周部において、前記筒部の外周に沿って、前記天井材に平行な上面を備える段部が形成され、前記筒部の外周面の複数箇所において、前記枠体への掛止に使用される受部が外側に突出して形成され、かつ前記筒部の内側に光源が取り付けられる灯体と、を有し、前記枠体は、前記灯体の前記放熱フィンが挿通可能な内径を有して環状に形成され、前記天井材と平行に配置され、かつ、前記灯体の前記各受部に対応する位置に設けられる、下方に突出する複数の突出片を備える第１枠部と、前記第１枠部の下方において前記第１枠部に平行に配置され、かつ前記灯体の前記筒部が挿通可能な内径を有して環状に形成される第２枠部と、前記第１枠部と前記第２枠部とを接続すると共に、その外面に、前記天井材の上面に係止されて前記枠体を前記天井材に固定する天井取付部材が設けられる複数の接続部と、を有し、前記第１枠部の前記突出片は、下方に突出すると共に、その長さが前記接続部の上下方向の長さよりも短い突出部分と、前記突出部分から前記天井材と平行に内側に屈曲される屈曲部分と、を有して全体がＬ字形状に形成され、前記屈曲部分が、前記灯体の前記受部を掛止する掛止部となり、前記灯体の前記各受部は、厚みが薄い部分である第１部分と、前記第１部分に連続すると共に、前記受部の、前記天井材と平行な方向における端部に位置し、かつ厚みが厚い部分である第２部分と、を有し、前記第１部分の下方には、前記第２部分との厚みの差に相当する空間が形成され、前記灯体を前記天井材の埋設孔に埋設する場合に、前記灯体が、前記枠体の下方から挿入されると、前記灯体における前記放熱フィンの前記段部の上面が前記第１枠部の下面に当接して前記灯体が位置決めされ、前記灯体が、前記天井材と平行に回動されると、前記灯体の前記各受部の前記第１部分の下方の前記空間に、前記第１枠部の前記各掛止部が入り込み、前記各掛止部が前記各受部の前記第２部分に当接して回動が規制されて前記各受部が前記各掛止部に掛止される。
【発明の効果】
【０００７】
本発明に係る照明器具によれば、組立作業性を良好にでき、大型化に対応できるという効果を奏する。
【図面の簡単な説明】
【０００８】
【図１】本発明に係る一実施形態の照明器具の斜め上方から視た外観斜視図
【図２】本発明に係る一実施形態の照明器具の側面図
【図３】本発明に係る一実施形態の照明器具の枠体の斜め上方から視た外観斜視図
【図４】本発明に係る一実施形態の照明器具の枠体の側面図
【図５】本発明に係る一実施形態の照明器具の灯体の斜め上方から視た外観斜視図
【図６】本発明に係る一実施形態の照明器具の灯体の側面図
【図７】本発明に係る一実施形態の照明器具の組立手順を説明する第１段階の斜め上方から視た外観斜視図
【図８】本発明に係る一実施形態の照明器具の組立手順を説明する第２段階の斜め上方から視た外観斜視図
【図９】本発明に係る一実施形態の照明器具の組立手順を説明する第３段階の斜め上方から視た外観斜視図
【図１０】本発明に係る一実施形態の照明器具の組立手順を説明する第４段階の斜め上方から視た外観斜視図
【発明を実施するための形態】
【０００９】
以下、本発明に係る一実施形態の照明器具について図面を参照して説明する。
図１に示すように、本発明に係る一実施形態の照明器具１０は、枠体１１と、枠体１１と別構成の灯体１２とを備え、天井材（図７参照）１の埋設孔（図７参照）２に埋め込まれてダウンライト等に適用される。
【００１０】
照明器具１０は、枠体１１に、上段に配置される第１枠部１３と、第１枠部１３の下段に配置される第２枠部１４と、第１枠部１３および第２枠部１４を接続する複数の接続部１５とを備える。
【００１１】
図２に示すように、照明器具１０は、灯体１２に、例えば放射状に配列される複数のＬＥＤ基板１６に封止されたＬＥＤ１７を有するＬＥＤユニット１８が取り付けられている。
照明器具１０は、ＬＥＤユニット１８の前面に不図示の反射板や同じく不図示のレンズや同じく不図示のパネル等が取り付けられる。ＬＥＤユニット１８は、ＬＥＤ基板１６に有する不図示のプリント回路が同じく不図示の電源ユニットに電気的に接続される。
照明器具１０は、灯体１２が枠体１１に取り付けられた後に、天井材１の下方から取付ばね１９により第１枠部１３に取り付けられる補助反射板２０を備える。
【００１２】
図３および図４に示すように、第１枠部１３は、薄い金属製の板部材を用いて円環形状に形成された第１枠部本体２１を有し、この第１枠部本体２１の内周部にあらかじめ定められた内径寸法を有する段部当接部２２を有する。
第１枠部１３は、第１枠部本体２１の円周上の複数個所において下方へ向けて突出する複数の突出片２３を有し、これら突出片２３の先端部にＬ字形状にして第１枠部本体２１の内周へ向けて突出する掛止部２４を有する。
掛止部２４は、垂直方向のねじ孔２５を有する。
第１枠部１３は、第１枠部本体２１の外周縁部の対向する位置に取付ばね１９を係止させるための切欠形状に形成された一対のばね係止部２６を有する。
【００１３】
第２枠部１４は、薄い金属製の板部材を用いて円環形状に形成された第２枠部本体２７を有し、この第２枠部本体２７の外周部に化粧板２８を有する。
第２枠部１４は、第２枠部本体２７の内周部に灯体挿入部２９を有する。
【００１４】
接続部１５は、薄い金属製の板部材により成形されており、上端部が第１枠部１３の第１枠部本体２１の外周縁部に溶接等の接合手段により固定され、下端部が第２枠部１４の第２枠部本体２７の外周縁部に溶接等の接合手段により固定される。
接続部１５は、第１枠部１３と第２枠部１４とを平行に配置する。接続部１５は、外面に天井取付部材３０を備える。
天井取付部材３０は、枠体１１が天井材１の埋設孔２に挿入される際に、接続部１５に沿うように配置される。
天井取付部材３０は、枠体１１が天井材１の上面に到達した後に、接続部１５の外方に突出されて天井材１の上面に係止されることにより、枠体１１を天井材１に固定する。
【００１５】
図５および図６に示すように、灯体１２は、例えばアルミニウムダイキャスト等の金属製であって、略円筒形状に形成された筒部３１を有し、筒部３１の上部に複数の放熱フィン３２を有する。
灯体１２は、筒部３１の外周面に、第１枠部１３の突出片２３の内周側において掛止部２４に掛止される受部３３が外方に向けて突出される。
受部３３は、掛止部２４に平行に配置されて掛止部２４を誘導する誘導面３４と、この誘導面３４の端部において掛止部２４に当接する当接面３５とを有する。
受部３３は、垂直方向のねじ孔３６を有する。
灯体１２は、筒部３１の上部であって、放熱フィン３２の基部側に筒部３１の円周方向に平行な段部３７を有する。段部３７の外径寸法は、第１枠部１３の段部当接部２２の内径寸法よりもわずかに小さい。
【００１６】
段部３７は、組立時に第１枠部１３の段部当接部２２に当接することにより、第１枠部１３に熱的に接続されて灯体１２を位置決める。
このとき、灯体１２の放熱フィン３２の基部に段部３７が形成される。
従って、第１枠部１３と灯体１２との間にある空間も利用して放熱フィン３２の表面積を大きくして放熱効率を向上できる。
これに対して、放熱フィンに段差部を設けない場合、表面積を大きくすることができないために、放熱効率を向上できない。
そして、灯体１２の位置決めが段部３７により行われる。
従って、別途にガイド部を設ける必要がなく、簡素な構造にできる。
また、段部３７が、放熱フィン３２の基部側において筒部３１の全周に平行に形成されている。
従って、長さが長く、筒部３１の全周に平行に形成される段部３７により板形状の第１枠部１３に対して灯体１２を安定的に支持できる。
【００１７】
次に、照明器具１０の組立手順について説明する。
図７に示すように、第１段階において、天井材１の所定位置に形成されている埋設孔２の下方から、枠体１１が挿入されていく。
枠体１１は、第１枠部１３および接続部１５が埋設孔２に挿入されることにより、第２枠部１４の化粧板２８が天井材１の下面に当接する。
このとき、第１枠部１３および接続部１５の埋設孔２への挿入時に、天井取付部材３０が、接続部１５に沿うように配置されている。
そして、第１枠部１３および接続部１５の埋設孔２への挿入後に、天井取付部材３０が、接続部１５の外方に突出されて天井材１の上面に係止されることにより、枠体１１を天井材１に固定する。
【００１８】
次に、図８に示すように、第２段階において、灯体１２が、枠体１１の下方から、第２枠部１４の灯体挿入部２９から第１枠部１３の段部当接部２２に向けて挿入されていく。
灯体１２の枠体１１への挿入が進むと、灯体１２の段部３７が第１枠部１３の段部当接部２２に当接する。
そのため、灯体１２が枠体１１への装着位置に到達したことが作業者に促される。
そして、枠体１１に対して灯体１２が天井材１の下面から視て時計回転方向に回動される。
【００１９】
次に、図９示すように、第３段階において、灯体１２が枠体１１に対して回動されることにより、灯体１２の受部３３が第１枠部１３の第１枠部本体２１に平行に移動していく。
そして、受部３３の移動に伴い、受部３３の誘導面３４に掛止部２４が誘導された後に、受部３３の当接面３５に掛止部２４が当接される。
これにより、灯体１２が枠体１１に対する垂直方向と水平方向と傾方向とに保持される。
そして、受部３３のねじ孔３６から掛止部２４のねじ孔２５に不図示のねじがねじ込まれることにより、灯体１２が枠体１１に取り付けられる。
【００２０】
次に、図１０示すように、第４段階において、天井材１の下方から、取付ばね１９が第１枠部１３の第１枠部本体２１のばね係止部２６に係止されることにより、補助反射板２０が灯体１２の外側に取り付けられる。
【００２１】
以上、説明した本発明に係る一実施形態の照明器具１０によれば、灯体１２が枠体１１に対する垂直方向と水平方向と傾方向とに保持されるために、灯体１２を枠体１１に簡単に確実に取り付けできる。
従って、照明器具１０によれば、組立作業性を良好にできる。
また、照明器具１０によれば、従来のもののように、灯体の支持を取付ばねで行わずに、灯体１２を枠体１１により支持する。
従って、照明器具１０によれば、大型化に対応できる。
【００２２】
また、一実施形態の照明器具１０によれば、灯体１２の放熱フィン３２の基部に段部３７が形成される。
従って、照明器具１０によれば、第１枠部１３と灯体１２との間にある空間も利用して放熱フィン３２の表面積を大きくして放熱効率を向上できる。
【００２３】
そして、一実施形態の照明器具１０によれば、灯体１２の位置決めが段部３７により行われる。
従って、照明器具１０によれば、別途にガイド部を設ける必要がなく、簡素な構造にできる。
【００２４】
さらに、一実施形態の照明器具１０によれば、段部３７が、放熱フィン３２の基部側において筒部３１の全周に平行に形成されている。
従って、照明器具１０によれば、長さが長く、筒部３１の全周に平行に形成される段部３７により板形状の第１枠部１に対して灯体１２を安定的に支持できる。
【００２５】
なお、本発明の照明器具においてＬＥＤ基板，ＬＥＤ，ＬＥＤユニット等は、前述した各実施形態に限定されるものでなく、適宜な変形や改良等が可能である。
【符号の説明】
【００２６】
１０  照明器具
１１  枠体
１２  灯体
１３  第１枠部
１４  第２枠部
１８  ＬＥＤユニット（光源ユニット）
２４  掛止部
３３  受部
３７  段部
【図１】
0005821016.tif 000002
【図２】
0005821016.tif 000003
【図３】
0005821016.tif 000004
【図４】
0005821016.tif 000005
【図５】
0005821016.tif 000006
【図６】
0005821016.tif 000007
【図７】
0005821016.tif 000008
【図８】
0005821016.tif 000009
【図９】
0005821016.tif 000010
【図１０】
0005821016.tif 000011